(57)【要約】      （修正有）【課題】検索結果のURLリスト一覧を画面上に表示する際に、有害サイトのURLを表示しないようにすることができる携帯端末を提供する。【解決手段】携帯端末１のキーワード抽出部１０１は、表示部１２に表示中のウェブサイトに含まれる複数のキーワードを抽出し、キーワード固有の重要度およびウェブサイト内におけるキーワードの出現数に基づいて、複数のキーワード、および検索条件を決定する。検索サイト決定部１０３は、１つまたは複数の特定の検索サイトを決定し、検索を行うよう要求する。検索サーバから複数のURLリストをそれぞれ受信すると、フィルタリング部１０５は、フィルタリングデータベース２１に格納された有害サイトのURLを削除する。次に優先表示決定部１０６は、有害サイトのURLが削除された複数のURLリストから、あらかじめ設定された所定数のURLを抽出し、所定の優先度に従って並び替え、表示部に表示させる。【選択図】図２
2011118827.tif 000002
【特許請求の範囲】
【請求項１】
ウェブサイトを表示する表示部と、
前記表示部に表示された前記ウェブサイトに含まれるキーワードを抽出するキーワード抽出部と、
前記キーワード抽出部で抽出されたキーワードを用いた検索条件を決定する検索キーワード決定部と、
前記検索キーワード決定部で決定した前記検索条件を検索サーバへ送信し検索要求を行う検索要求部と、
前記検索要求部で検索要求した検索サーバより検索結果としてのURLリストを取得する検索取得部と、
所定のサイトのURLを格納するフィルタリング記憶部と、
前記検索取得部で取得した前記URLリストに、前記フィルタリング記憶部に格納されているサイトのURLが存在している場合、当該URLを削除するフィルタリング部とを有し、
前記表示部は、前記フィルタリング部でURLを削除した後のURLリストを表示するよう構成される、
ことを特徴とする携帯端末。
【請求項２】
前記フィルタリング部でURLを削除した後のURLリストを、所定の優先度に従って並び替える優先度決定部をさらに有する、
ことを特徴とする請求項１記載の携帯端末。
【請求項３】
前記検索キーワード決定部で決定した前記検索条件は、前記キーワード固有の重要度および前記ウェブサイトにおける前記キーワードの出現数の少なくとも一方に基づいて決定される、
ことを特徴とする請求項１記載の携帯端末。
【請求項４】
前記フィルタリング記憶部は、キーワードをさらに格納し、
前記検索キーワード決定部で決定したキーワードが前記フィルタリング記憶部に格納されているキーワードである場合、前記フィルタリング部は前記検索条件から当該キーワードを削除するよう構成される、
ことを特徴とする請求項１記載の携帯端末。
【請求項５】
本携帯端末はフィルタリングサーバとネットワーク接続され、
前記フィルタリング部は、所定期間毎に、前記フィルタリングサーバが有する最新のURLを取得して前記フィルタリング記憶部に格納されているサイトのURLのデータを更新するよう構成される、
ことを特徴とする請求項１乃至３の何れかに記載の携帯端末。
【発明の詳細な説明】
【技術分野】
【０００１】
本発明は、ウェブサイトを閲覧可能な携帯端末であって、閲覧中のウェブサイト内のキーワードから検索を行う携帯端末に関する。
【背景技術】
【０００２】
近年、携帯電話機などの携帯端末を用いたウェブサイトの閲覧が頻繁に行われるようになっている。それに伴い、ユーザが携帯端末で検索サイトにアクセスしてキーワード検索を行う状況も増加している。ユーザは検索サイトを開き、収集したい情報に関するキーワードを所定の入力エリアに入力して検索を行う。検索サイトを提供する事業者のサーバは、通信網経由で取得したURLのリスト一覧を検索結果として携帯端末に送信し、携帯端末は当該検索結果を画面上に表示する。ユーザは携帯端末に表示されたURLリスト一覧から、閲覧したいURLを選択してアクセスし、所望の情報を取得する。
【０００３】
携帯端末は画面の大きさや入力操作に制限があり、パソコン（Personal computer）上で行うキーワード検索と比べると操作しにくい。従来から行われている携帯端末の検索方法では、現在表示されているウェブサイトに検索したいキーワードがある場合でも、ユーザは携帯端末の画面に検索サイトを新たに表示させてキーワードを入力し、検索を行わなければならない。そこで、携帯端末に現在表示中のウェブサイトから少なくとも１つのキーワードを自動的に抽出し、このキーワードを用いて所定の検索条件に従って検索を行い、検索結果として得られる複数のURLリストより、あらかじめ設定された条件（例えば、得られたURLリストの上位５個等）に基づきURLリストを絞りこんで画面上に表示する技術が知られている。
【０００４】
また、携帯端末の画面に表示されたURLリストのうち、ユーザが選択したURLが、犯罪を誘発したり青少年に悪影響を及ぼしたりするような有害サイトのURLである場合、そのURLへのアクセス要求が通信網を経由する前に、携帯端末の通信事業者側サーバあるいは携帯端末自身で遮断し、閲覧ができないようにフィルタリング設定を行う技術が知られている。
【０００５】
特許文献１では、有害サイトのフィルタリング設定について、検索サーバがネットワーク上の外部フィルタリングサーバに、検索したウェブサイトのURLリストのうち、フィルタリングデータベースに登録されている有害サイトのURLが存在するか否かを問い合わせ、有害サイトのURLが存在する場合は該当のURLを削除する。そして有害サイトのURLが無い状態で、実際にサイトを閲覧された頻度が高い故に世間において人々の耳目を集めている話題についての情報を含んでいる蓋然性の高いウェブサイト（ホットサイト）を集計して、その閲覧頻度順にユーザに提示する技術が開示されている。
【先行技術文献】
【特許文献】
【０００６】
【特許文献１】特開２００９−１５１８１１号公報
【発明の概要】
【発明が解決しようとする課題】
【０００７】
特許文献１では、検索サーバが検索したサイトを、外部のフィルタリングサーバへ問い合わせて有害サイトに該当するか否かを確認しており、フィルタリングサーバへのアクセスによる通信遅延、および検索ごとにフィルタリングサーバへアクセスする処理負荷が発生していた。
【０００８】
またフィルタリングサーバを使用しない場合、検索サーバが検索したURLリストがそのまま携帯端末に表示されるが、有害サイトのURLが含まれている場合も削除されずに表示されてしまう。そのため、ユーザにとって不快に感じたり、誤ってURLリスト中にある有害サイトのURLを選択したりすることがあった。また、ユーザがURLリストからURLを選択した後にフィルタリングがかかる設定となっている場合、有害サイトのURLを選択すると表示されない。そのため、ユーザは再度URLを選択する必要があり操作が煩雑であった。
【０００９】
本発明はこのような点を考慮してなされたもので、検索結果のURLリスト一覧を画面上に表示する際に、有害サイトのURLを表示しないようにすることができる携帯端末を提供することを目的とする。
【課題を解決するための手段】
【００１０】
本発明に係る携帯端末は、ウェブサイトを表示する表示部と、前記表示部に表示された前記ウェブサイトに含まれるキーワードを抽出するキーワード抽出部と、前記キーワード抽出部で抽出されたキーワードを用いた検索条件を決定する検索キーワード決定部と、前記検索キーワード決定部で決定した前記検索条件を検索サーバへ送信し検索要求を行う検索要求部と、前記検索要求部で検索要求した前記検索サーバより検索結果としてのURLリストを取得する検索取得部と、所定のサイトのURLを格納するフィルタリング記憶部と、前記検索取得部で取得した前記URLリストに、前記フィルタリング記憶部に格納されているサイトのURLが存在している場合、当該URLを削除するフィルタリング部とを有し、前記表示部は、前記フィルタリング部でURLを削除した後のURLリストを表示するよう構成される、ことを特徴とする。
【発明の効果】
【００１１】
本発明に係る携帯端末によれば、検索結果のURLリスト一覧を画面上に表示する際に、有害サイトのURLを表示しないようにすることができる。
【図面の簡単な説明】
【００１２】
【図１】本発明の一実施形態に係る携帯端末であって、携帯端末が基地局を介して接続されるネットワークシステムを示す構成図。
【図２】本発明の一実施形態に係る携帯端末の概略構成を示すブロック図。
【図３】有害サイトのURLを除いたURLリスト作成の動作を示すフローチャート。
【図４】携帯端末がフィルタリングデータサーバへ定期的にフィルタリングデータベースへの更新を要求する場合における動作を示すフローチャート。
【図５】フィルタリングデータサーバが携帯端末へ定期的にフィルタリングデータベースへの更新を要求する場合における動作を示すフローチャート。
【図６】携帯端末の表示部に表示される表示例を示す図。
【発明を実施するための形態】
【００１３】
以下、本発明の実施形態を添付図面に基づいて説明する。
【００１４】
図１は、本発明の一実施形態に係る携帯端末１であって、携帯端末１が基地局４を介して接続されるネットワークシステム１００を示す構成図である。ネットワークシステム１００には、検索サーバ２ａ、２ｂ、２ｃ、２ｄ…、フィルタリングデータサーバ３、基地局４が接続される。検索サーバ２ａ〜２ｄ、フィルタリングデータサーバ３、複数の基地局４は、外部ネットワークＮを介して相互に通信可能に接続されている。携帯端末１は、任意の基地局４と無線通信により接続することで、外部のネットワークＮを介して検索サーバ２ａ〜２ｄおよびフィルタリングデータサーバ３との通信が可能である。
【００１５】
検索サーバ２ａ〜２ｄは、携帯端末１より受信した、キーワードと検索条件に基づき検索を行い、検索結果としてのウェブサイトのURLリスト一覧を取得し、取得したURLリスト一覧をネットワーク経由で携帯端末１に検索結果として送信する。検索サーバ２ａ〜２ｄは、検索サイトを運営する事業者毎に異なっており、携帯端末１のユーザは各事業者の検索サーバ２ａ〜２ｄを選択して検索させることが可能である。
【００１６】
フィルタリングデータサーバ３は、有害サイトのURLおよび有害キーワードのデータを格納するサーバである。フィルタリングデータサーバ３は、検索サイトを運営する事業者毎にそれぞれ有してもよいし、各事業者共通で有していても良い。また検索サーバ２ａ〜２ｄ内に含まれても良い。
【００１７】
基地局４は、ネットワークシステム１００内の無線通信サービスの提供エリアを所定の範囲に分割したエリア内にそれぞれ配置された固定無線局である。移動体である携帯端末１は、携帯端末１自身に最も近い基地局４を介して、ネットワークＮに無線接続し、検索サーバ２ａ〜２ｄとの通信を行う。
【００１８】
図２は、携帯端末１の概略構成を示すブロック図である。携帯端末１は、制御部１０、電源回路部１１、表示部１２、操作部１３、音声制御部１４、無線通信部１５、記憶部１６、情報記憶媒体１７、フィルタリングデータベース２１がバスによって相互に通信可能に接続されて構成されている。
【００１９】
電源回路部１１は、電力供給源（バッテリ等）を備え、操作部１３の操作キーを介した入力に基づいて携帯端末１の電源のＯＮ／ＯＦＦ状態を切り替え、電源がＯＮ状態の場合に電力供給源から各部に対して電力を供給して、携帯端末１を動作可能にする。
【００２０】
表示部１２はモニタ等であり、制御部１０の制御に基づいて文書データや画像データ等を表示する。操作部１３はタッチパネルや操作キー等の入力装置である。
【００２１】
音声制御部１４は、制御部１０の制御に基づいて、マイクロフォン１４２で集音されたアナログ音声信号をデジタル音声信号に変換する。また音声制御部１４は、デジタル音声信号を取得すると、制御部１０の制御に基づいて、このデジタル音声信号をアナログ音声信号に変換し、スピーカ１４１から音声として出力する。
【００２２】
無線通信部１５は、制御部１０の制御に基づいて、基地局からアンテナ１５ａを介して受信した受信信号を処理してデータを復元する。このデータは、制御部１０の指示により、音声制御部１４に伝送されてスピーカ１４１から出力されたり、表示部１２に伝送されて表示されたり、または記憶部１６に記録されたりする。また無線通信部１５は、制御部１０の制御に基づいて、マイクロフォン１４２で集音された音声信号や操作部１３で入力された文字列や記憶部１６に記憶されたデータを取得すると、これらのデータの処理を行い、基地局４に対してアンテナ１５ａを介して送信する。
【００２３】
フィルタリングデータベース２１は、有害サイトのURLを格納する。またフィルタリングデータベース２１は、携帯端末１の識別情報と対応づけて携帯端末１固有のフィルタリング要件も格納している。携帯端末１固有のフィルタリング要件は、例えば、携帯端末１のユーザが操作部１３を用いて設定する。
【００２４】
記憶部１６は、制御部１０や無線通信部１５などのワーク領域となるもので、その機能はＲＡＭ（Ｒａｎｄｏｍ  Ａｃｃｅｓｓ  Ｍｅｍｏｒｙ）などにより実現できる。
【００２５】
情報記憶媒体１７（コンピュータにより読み取り可能な媒体）は、プログラムやデータなどを格納するものであり、その機能は、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体１７には、本実施形態の各部としてコンピュータを機能させるためのプログラム（各部の処理をコンピュータに実行させるためのプログラム）、複数のアプリケーション等が記憶される。
【００２６】
制御部１０は、携帯端末１の総括的な制御を行うとともに、その他の様々な演算処理や制御処理などを行う演算装置である。制御部１０の機能は各種プロセッサ（ＣＰＵ、ＤＳＰ等）、ＡＳＩＣ（ゲートアレイ等）などのハードウェアや、プログラムにより実現できる。制御部１０は、情報記憶媒体１７に格納されるプログラム（データ）に基づいて本実施形態の種々の処理を行う。また制御部１０は、キーワード抽出部１０１、検索キーワード決定部１０２、検索サイト決定部１０３、検索要求／取得部１０４、フィルタリング部１０５、優先表示決定部１０６を含む。
【００２７】
キーワード抽出部１０１は、表示部１２に表示されているウェブサイトのテキストより、キーワードを抽出する。検索キーワード決定部１０２は、キーワード抽出部１０１が複数のキーワードを抽出した場合に、あらかじめ携帯端末１で設定しているキーワード固有の重要度や、閲覧中のウェブサイトにおけるキーワードの出現数に基づいて、検索サーバ２ａ〜２ｄに送信するキーワードを決定する。また検索キーワード決定部１０２は、検索サーバ２ａ〜２ｄへ送信するキーワードの検索条件を決定する。詳細は後述する。
【００２８】
検索サイト決定部１０３は、検索サイトを運営する複数の事業者の検索サーバ２ａ〜２ｄのうち、特定の検索サイトを選択し検索サーバを決定する。詳細は後述する。
【００２９】
検索要求／取得部１０４は、検索サイト決定部１０３で決定した所定の検索サーバ２に、検索キーワード決定部１０２で生成したキーワードについての検索要求を行う。また検索要求／取得部１０４は、検索サーバ２から無線通信部１５を介して送信される検索結果としてのURLリスト一覧を取得する。
【００３０】
フィルタリング部１０５は、フィルタリングデータベース２１に格納された有害サイトのURLを参照し、検索要求／取得部１０４で取得した少なくとも１つのURLリストから、該当する有害サイトのURLを除去する。
【００３１】
優先表示決定部１０６は、フィルタリング部１０５で有害サイトのURLを除去した少なくとも１つのURLリストについて、所定の優先度に従ってURLを順に並べ替え、あらかじめ設定された個数のURLを選択し、選択したURLについて表示部１２への表示順を決定する。
【００３２】
次に、上記構成の携帯端末１における動作を、図３のフローチャートを参考にして説明する。
【００３３】
ユーザが携帯端末１の表示部１２であるウェブサイトを閲覧していると（ステップＳ１０１）、キーワード抽出部１０１は、表示中のウェブサイトからテキストを取得し、取得したテキストに含まれる複数のキーワードを抽出する（ステップＳ１０３）。抽出するキーワードは、例えば最大１００個である。
【００３４】
次に検索キーワード決定部１０２は、ステップＳ１０３で抽出した複数のキーワードより、あらかじめ設定されたキーワード固有の重要度および当該表示中のウェブサイト内におけるキーワードの出現数に基づいて、検索サーバ２ａ〜２ｄに送信する複数のキーワードを決定する（ステップＳ１０５）。キーワード固有の重要度は、例えば話題になっている出来事や流行している事象、または携帯端末内に格納している辞書、または過去のウェブサイト閲覧履歴等のデータに基づいており、携帯端末内の所定のアルゴリズムを動作させることで決定される。
【００３５】
また検索キーワード決定部１０２は、検索サーバ２ａ〜２ｄに送信する複数のキーワードを用いた検索条件を決定する（ステップＳ１０５）。検索条件は、例えば、キーワードそれぞれについて検索を行う条件でも良いし、重要度の高いキーワードは単独で検索を行い、他のキーワードはAND条件で検索を行う条件でもよいし、あるいは全てのキーワードをAND条件で検索を行う条件でも良い。本実施形態では、検索サイト２に送信するキーワードは「Ａ」、「Ｂ」、「Ｃ」、「Ｄ」、「Ｅ」の５個とし、検索条件は各キーワード単独で検索を行う５個の条件とする。
【００３６】
次に検索サイト決定部１０３は、検索キーワード決定部１０２で決定した複数のキーワードおよび検索条件に対して、１つまたは複数の特定の検索サイトを決定する（ステップＳ１０７）。検索サイトの決定方法は、例えば、携帯端末１にあらかじめ設定された検索サイトでも良いし、検索キーワード決定部１０２でキーワードを決定した際に携帯端末１のユーザが指定した検索サイトでもよい。また、検索キーワード決定部１０２でキーワードを決定した際に、各キーワードに応じてあらかじめ設定されている検索サイトでもよい。本実施形態では、ステップＳ１０７で決定した検索サイトを運営する事業者の検索サーバを２ａとする。
【００３７】
次に検索要求／取得部１０４は、検索サイト決定部１０３で決定した検索サーバ２ａに、ステップＳ１０５で決定した複数のキーワードおよび検索条件を、無線通信部１５を介して送信し、検索を行うよう要求する（ステップＳ１０９）。検索サーバ２は、ステップＳ１０９で送信されたキーワードについて、ステップＳ１０９で送信された検索条件でキーワード検索を行う。次に検索サーバ２は、検索結果として得たURLリストを、基地局４を介して携帯端末１に送信する。
【００３８】
検索サーバ２ａで当該検索条件での検索がすべて終了し、検索サーバ２ａから各検索条件における複数のURLリストをそれぞれ受信すると（ステップＳ１１１で「Ｙｅｓ」）、フィルタリング部１０５は、当該複数のURLリストのうち、フィルタリングデータベース２１に格納された有害サイトのURLが存在するか否かを判別する（ステップＳ１１５）。有害サイトのURLが存在する場合（ステップＳ１１５で「Ｎｏ」）、フィルタリング部１０５は当該URLをURLリストから削除する（ステップＳ１１７）。
【００３９】
次に優先表示決定部１０６は、ステップＳ１１５とＳ１１７で有害サイトのURLが削除された複数のURLリストそれぞれについて、所定の優先度に従ってURLを順に並べ替える（ステップＳ１１９）。URLの優先度は、携帯端末１内の所定のアルゴリズムを動作させることで決定される。例えば、表示部１２に表示されているウェブサイト上で出現数の多いキーワードが多く出現しているURL、または話題になっている事象のキーワードが多く出現しているURLは優先度を高くする。
【００４０】
次に優先表示決定部１０６は、各URLリストから、あらかじめ設定された数のURLをそれぞれ抽出し、抽出したURLをさらに所定の優先度に従って並び替え（ステップＳ１２０）、表示部に表示させる（ステップＳ１２１）。本実施形態では、検索条件が５個あるために５つのURLリスト一覧を有しており、それぞれのURLリスト一覧を優先度に従って並び替える。そして、最も優先度の高いURLをそれぞれ１個ずつ、計５個抽出する。そして、この５個のURLを所定の優先度に従って表示順に並べ替え、表示部１２に表示させる。
【００４１】
なお、フィルタリングデータベース２１には、有害サイトのURLの他、有害なキーワードや、有害サイトを検索する可能性のあるキーワード、または有害サイトを検索する可能性のある複数のキーワードの組み合わせが格納されていてもよい。ステップＳ１０５で、送信するキーワードを決定する際、例えば閲覧中のウェブサイトから１００個抽出したうちの５個を送信する際に、フィルタリング部１０５は、このキーワードについて、フィルタリングデータベース２１にあらかじめ記憶されている有害キーワード、または有害サイトを検索する可能性のあるキーワード、または有害サイトを検索する可能性のある複数のキーワードの組み合わせに該当するか否かを判別してもよい。フィルタリング部１０５は、該当するキーワードがある場合、そのキーワードを削除する。検索要求／取得部１０４は、残りのキーワードと検索条件を検索サーバ２ａ〜２ｄへ送信して検索要求を行う。残りのキーワードを用い検索サーバ２ａ〜２ｄで検索を行って得たURLリストについても、フィルタリング部１０５で有害サイトの有無を判断することになるので、キーワードと合わせて二重のフィルタリングをかけることになる。
【００４２】
＜フィルタリングデータベースの更新＞
フィルタリング処理の対象となる有害サイトが閉鎖されたり、新たに開放されたりすると、フィルタリングデータベース２１に格納されている有害サイトのURLも削除や追加を行う必要がある。また、フィルタリングデータベース２１に有害なキーワードも格納されている場合は、新たな有害キーワードをフィルタリングデータベース２１に追加する必要がある。このように、フィルタリングデータベース２１内のデータは定期的に更新をする必要がある。フィルタリングデータベース２１のデータは、フィルタリングデータサーバ３からデータを取得して更新を行う。更新の方法は、携帯端末１からフィルタリングデータサーバ３へ更新を要求する場合と、フィルタリングデータサーバ３が携帯端末１へ更新を行う場合の２通りの方法がある。
【００４３】
携帯端末１がフィルタリングデータサーバ３へ定期的にフィルタリングデータベース２１への更新を要求する場合における携帯端末１の動作について、図４を参照して説明する。
【００４４】
フィルタリングデータベース２１内のデータが、前回の更新から所定期間（例えば１週間）経過すると（ステップＳ２０１で「Ｙｅｓ」）、フィルタリング部１０５は、無線通信部１５を介してフィルタリングデータサーバ３へデータの更新を要求する（ステップＳ２０３）。フィルタリングデータサーバ３は、ステップＳ２０３で要求された最新のフィルタリングデータについて、基地局４を介して携帯端末１へ送信し、携帯端末１はこれを受信する（ステップＳ２０５）。フィルタリング部１０５は、フィルタリングデータベース２１のデータを、ステップＳ２０５で受信した最新のデータに更新する（ステップＳ２０７）。
【００４５】
ここで、ステップＳ２０３の更新要求時に、ユーザが設定した携帯端末１固有のフィルタリング要件を付加してもよい。固有のフィルタリング要件として、例えば携帯端末１を使用する場所や使用時間帯、ユーザの年齢や性別等が挙げられる。
【００４６】
もう一方の場合として、フィルタリングデータサーバ３が携帯端末１へ定期的にフィルタリングデータベース２１への更新を要求する場合における携帯端末１の動作について、図５を参照して説明する。
【００４７】
フィルタリングデータサーバ３には携帯端末１があらかじめ登録されている（ステップＳ３０１）。登録されている携帯端末１のデータの更新が所定期間（例えば１週間）を経過すると（ステップＳ３０３で「Ｙｅｓ」）、フィルタリングデータサーバ３は基地局４を介して当該携帯端末１へ最新のフィルタリングデータを送信し、携帯端末１はこれを受信する（ステップＳ３０５）。フィルタリング部１０５は、フィルタリングデータベース２１のデータを、ステップＳ３０５で受信した最新のデータに更新する（ステップＳ３０７）。
【００４８】
ここで、ステップＳ３０１の携帯端末登録時に、ユーザが設定した携帯端末１固有のフィルタリング要件を付加し登録してもよい。携帯端末１固有のフィルタリング要件として、例えば携帯端末１を使用する場所や使用時間帯、ユーザの年齢や性別等が挙げられる。
【００４９】
なお、フィルタリングデータベース２１や検索サイト決定部１０３、フィルタリング部１０５、優先表示決定部１０６の機能は、外部サーバが備える仕様であってもよい。この外部サーバは、例えば検索サーバ２ａ〜２ｄと携帯端末１との間で通信を行う通信事業者側が有する外部サーバであってもよい。この場合、携帯端末１から送信されるキーワードおよび検索条件を外部サーバが受信すると、図３で携帯端末１が行ったステップＳ１０７からＳ１２０までの動作を外部サーバが行う。そして外部サーバは、所定の優先度に従って並べた複数のURLを携帯端末１へ送信し、携帯端末１の表示部１２はこの複数のURLを表示する。
【００５０】
以上の動作で携帯端末１の表示部１２に表示される表示例を図６に示す。図６の表示例では、ウェブサイトを閲覧時に「関連ページ」のボタンが表示される。ユーザがこの「関連ページ」ボタンを選択すると、閲覧中のウェブサイトに関連したURL、URLのタイトル、スニペット等を含むリストが別ウィンドウで表示される。
【００５１】
前述したように、本発明における携帯端末は、閲覧中のウェブサイトから複数のキーワードを抽出し、抽出したキーワードから、重要度や出現数に基づいて、キーワードおよび検索条件を決定し検索サーバに検索要求を行う。検索サーバで検索を行った結果としてのURLリストを携帯端末が受信すると、フィルタリング部は、このURLリストからフィルタリングデータベースに含まれている有害サイトのURLの有無を判別し、有害サイトのURLが存在する場合は当該URLを削除する。そして、削除したURLリストを所定の優先度に従って並び替えられる。上記のキーワードの抽出から優先度に従った並び替えまでの一連の処理は、ウェブサイトの閲覧中に自動的に行われ、「関連ボタン」を選択することによって、処理後のURLのリストが別ウィンドウに表示されることになる。よって、検索結果のURL一覧を表示する際に、表示部に有害サイトを表示させないようにすることができ、検索サーバに遅延や負荷を発生させずに有害サイトを含まないURLリストを表示できる。
【００５２】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００５３】
１…携帯端末、１０…制御部、１１…電源回路部、１２…表示部、１３…操作部、１４…音声制御部、１５…無線通信部、１５ａ…アンテナ、１６…記憶部、１７…情報記憶媒体、２１…フィルタリングデータベース、１０１…キーワード抽出部、１０２…検索キーワード決定部、１０３…検索サイト決定部、１０４…検索要求／取得部、１０５…フィルタリング部、１０６…優先表示決定部、２ａ、２ｂ、２ｃ、２ｄ…検索サーバ、３…フィルタリングデータサーバ、４…基地局、１００…ネットワークシステム。
【図１】
2011118827.tif 000003
【図２】
2011118827.tif 000004
【図３】
2011118827.tif 000005
【図４】
2011118827.tif 000006
【図５】
2011118827.tif 000007
【図６】
2011118827.tif 000008